(57)【要約】【課題】  用紙の走行方向に偏寄した位置にインクノズルを有すると共に、用紙の走行方向に所定の隙間を有して複数個配置されてメンテナンスを容易にして配設されるインクジェットヘッドのうち、少なくとも２個のインクジェットヘッドを用いて、両インクジェットヘッドのインクノズルの間隔を狭くできて、両インクジェットヘッドにて用紙の変形による影響を少なくし精度よく印字ができるようにする。【解決手段】  用紙５の走行方向の一方側へ偏寄した位置にインクノズル８を設けた少なくとも２個のインクジェットヘッド２ａ〜２ｄを、それぞれのインクノズルが近づく方向に向かい合わせにして用紙の走行方向に隣接して配設し、両インクジェットヘッドにて１つの絵柄の印字を分担して行うようにした構成になっている。【選択図】図２
2005231310.tif 000002
【特許請求の範囲】
【請求項１】
用紙の走行方向の一方側へ偏寄した位置にインクノズルを設けた少なくとも２個のインクジェットヘッドを、それぞれのインクノズルが近づく方向に向かい合わせにして用紙の走行方向に隣接して配設し、両インクジェットヘッドにて１つの絵柄の印字を分担して行うようにしたことを特徴とするインクジェット記録装置。
【発明の詳細な説明】
【技術分野】
【０００１】
本発明は、用紙の走行方向に複数配置したインクジェットヘッドにてこの用紙上に１つの絵柄を印字するようにしたインクジェット記録装置に関するものである。
【背景技術】
【０００２】
用紙の走行方向（主走査方向）に配置した複数のインクジェットヘッドにて１つの絵柄を印字するようにしたものが特許文献１にて知られている。また、個々に異なる印字を行うものではあるが、用紙の走行方向に独立したインクジェットヘッドを所定の間隔をおいて複数配設したものが特許文献２にて知られている。
【０００３】
【特許文献１】特開平１１−３４３６０号公報
【特許文献２】特開２０００−１４１６１８号公報
【発明の開示】
【発明が解決しようとする課題】
【０００４】
特許文献１に記載された構成では、１つの絵柄を複数のインクジェットヘッドにて印字するため、１個のインクジェットヘッドにて印字する場合に比べて高精細に印字することができ、また１個のインクジェットヘッドにて行う場合と同様の精度で印字する場合には、印字速度をインクジェットヘッドの数だけ速くすることができる。
【０００５】
しかしながらこの従来の装置では、複数のインクジェットヘッドは、それぞれのヘッドの枠体が主走査方向に密着して結合された構成になっているため、個々のインクジェットヘッドをメンテナンスする場合、装置全体を分解しなければならず、個々のインクジェッヘッドのメンテナンス性に問題がある。
【０００６】
一方、特許文献２に記載された構成では、複数の個々のインクジェットヘッドのそれぞれが独立していると共に、用紙の走行方向に所定の隙間、すなわちメンテナンス等のときに、個々のインクジェットヘッドを用紙の走行方向と直角方向に出し入れ可能にするために必要な隙間をとって並設されていて、上記した特許文献１に記載された構成のような問題はない。
【０００７】
しかしながら、各インクジェットヘッドの相互がある間隔を有しているため、この間隔内における用紙の変形による影響を受けてしまう。すなわち、上流側のインクジェットヘッドにて印字されてから次のインクジェットヘッドにて印字される間に用紙が伸縮等変形した場合、この上流側と下流側相互の印字タイミングを合わせても、印字がずれてしまうという問題が生じることになる。
【課題を解決するための手段】
【０００８】
本発明は上記のことにかんがみなされたもので、用紙の走行方向に離隔して配置してメンテナンスを容易にしたインクジェットヘッドを複数用いて個々のインクジェットヘッドのメンテナンス性を保持し、その上で上記インクジェットヘッドの上記間隔を狭くできて印字精度の向上を図ることができるようにしたインクジェット記録装置を提供しようとするもので、その構成は、用紙の走行方向の一方側へ偏寄した位置にインクノズルを設けた少なくとも２個のインクジェットヘッドを、それぞれのインクノズルが近づく方向に向かい合わせにして用紙の走行方向に隣接して配設し、両インクジェットヘッドにて１つの絵柄の印字を分担して行うようにした構成になっている。
【発明の効果】
【０００９】
用紙の走行方向に偏寄した位置にインクノズルを有すると共に、用紙の走行方向に所定の隙間を有して複数個配置されてメンテナンスを容易にして配設されるインクジェットヘッドのうち、少なくとも２個のインクジェットヘッドを、両者のインクノズルを他のインクジェットヘッドのインクノズルの間隔より狭くすることができ、この両者のインクジェットヘッド間の用紙の変形の影響が少なくなり、２つのインクジェットヘッドによる１つの絵柄を精度よく印字することができる。
【発明を実施するための最良の形態】
【００１０】
本発明の実施の形態を図面に基づいて説明する。図１は本発明に係る装置の全体を示す正面図、図２は要部を拡大して示す正面図である。
【００１１】
図１において、１は給紙部、２は印字部、３は加工部、４は排紙部であり、給紙部１から給紙された用紙５は印字部２にて印字され、必要に応じて乾燥機６にて乾燥されてから加工部３に入り、ここで必要な加工がなされた後、排紙部４へ排紙されるようになっている。
【００１２】
印字部２には、複数個の、例えば用紙５の走行方向に順にイエロ用、マゼンタ用、シアン用、ブラック用の各インクジェットヘッド２ａ，２ｂ，２ｃ，２ｄが各インクジェットヘッド２ａ〜２ｄをメンテナンスするに必要な所定の隙間Ｌをあけて配置されており、この４つのインクジェットヘッド２ａ〜２ｄが用紙５の走行速度とタイミングを合わせて印字操作することにより、１つのカラー絵柄を順次印字するようになっている。
【００１３】
上記した各色用のインクジェットヘッド２ａ〜２ｄは公知のものが用いられていて、それぞれの一側部が保持装置７に支持され、前後方向（用紙５の幅方向）に出し入れ可能になっていて、基本的には同一ものを用いる。また各インクジェットヘッド２ａ〜２ｄの下面に設けられるインクノズル８は用紙５の走行方向に片寄った位置、例えば図２において、各インクジェットヘッドの中心に対して用紙５の走行方向へａだけ偏寄した位置に設けられている。
【００１４】
図１に示すように、４個並設したインクジェットヘッド２ａ〜２ｄの最下流側に位置するブラック用のインクジェットヘッド２ｄの下流側に、補助用のインクジェットヘッド２ｅが、他のインクジェットヘッド２ａ〜２ｄの場合と同様のメンテナンス用として必要な隙間Ｌをあけた位置に設けてあり、この補助用のインクジェットヘッド２ｅは直上流側のブラック用のインクジェットヘッド２ｄと同色で、この印字をタイミングを合わせて分担するようになっている。
【００１５】
この補助用のインクジェットヘッド２ｅは、基本的には上記した各色用のインクジェットヘッド２ａ〜２ｄと同一であるが、用紙５の走行方向に対して反転して向かい合った姿勢になっている。従って図２に示すように、このインクジェットヘッド２ｅの保持装置７は上流側のものとは逆側になり、この下流側の両インクジェットヘッド２ｄ，２ｅはヘッド本体同士が対向され、このヘッド本体相互の間の隙間を上流側のインクジェットヘッド２ａ〜２ｄの相互間の隙間Ｌと同じにしたときに、下流側の両インクジェットヘッド２ｄ，２ｅの中心間距離Ａは上流側のインクジェットヘッド２ａ〜２ｄ相互の中心間距離Ｂより保持装置７の寸法Ｌ１だけ狭くなりＡ＜Ｂとなる。
【００１６】
そして、下流側の２つのインクジェットヘッド２ｄ，２ｅのインクノズル８相互の間隔Ｃは、補助用のインクジェットヘッド２ｅが反転されていることにより、Ｃ＝Ａ−（２ａ）となり、Ｃ＜Ａとなる。なお上流側の各色用のインクジェットヘッド２ａ〜２ｄの各インクノズル８相互の間隔はインクジェットヘッド２ａ〜２ｄ相互の間隔と同じＢである。
【００１７】
従って、各色用のインクジェットヘッド２ａ〜２ｄのインクノズル８の間隔Ｂと下流側の２個のインクジェットヘッド２ｄ，２ｅのインクノズル８の間隔Ｃを比較すると、Ａ＝Ｂ−Ｌ１、Ｃ＝Ａ−２ａであることにより、Ｃ＝Ｂ−Ｌ１−２ａとなり、反転したインクジェットヘッド２ｅとその上流側のインクジェットヘッド２ｄとのインクノズル８の間隔Ｃは、上流側のインクジェットヘッド２ａ〜２ｄのノズル間隔Ｂに対して保持装置７の分とノズルの偏寄量ａの２倍分だけ短くなる。
【００１８】
上記構成において、用紙５が走行する間に、タイミングを合わせて作動する４個プラス１個の５個のインクジェットヘッド２ａ〜２ｅにて４色の１つずつの絵柄が順次印字されていく。
【００１９】
このとき、ブラックはブラック用と補助用の両インクジェットヘッド２ｄ，２ｅにて分担して印字されることにより、このブラックによる印字は他の色より精細に印字される。
【００２０】
またこのとき、ブラック用のインクジェットヘッド２ｄと補助用のインクジェットヘッド２ｅとのそれぞれのインクノズル８，８の間隔Ｃは、他のインクジェットヘッド２ａ〜２ｄのそれぞれのインクノズル８相互の間隔Ｂより狭いことにより、その分用紙５の変形の影響を受けにくくなり、このブラックの印字の精度が向上される。
【００２１】
上記した実施の形態では、補助用のインクジェットヘッド２ｅの直上流側のインクジェットヘッド２ｄをブラック用としたが、これは他の色用のものであってもよい。また、補助用のインクジェットヘッド２ｅを４個のインクジェットヘッド２ａ〜２ｄの間に配置し、これの直上流側のインクジェットヘッドによる色の印字を分担するようにしてもよい。
【００２２】
また、上記実施の形態では４色用の４個のインクジェットヘッド２ａ〜２ｄと、これのうちの１つの色用のインクジェットヘッドに対して補助用のインクジェットヘッド２ｅを用いた例を示したが、ある１つの色用のものと、これの印字を分担するものとの２個のインクジェットヘッドを用いて、単色印字するようにしてもよい。
【００２３】
この場合、２個のインクジェットヘッド相互のタイミングだけで印字できることにより、上記した複数のインクジェットヘッドを用いた場合と同一の走行速度では２倍の鮮明さで単色印字をすることができ、また従来通りの鮮明さでは走行速度を２倍にすることができる。
【図面の簡単な説明】
【００２４】
【図１】本発明の実施の形態の全体を概略的に示す正面図である。
【図２】本発明の実施の形態の要部を拡大して概略的に示す正面図である。
【符号の説明】
【００２５】
１…給紙部、２…印字部、２ａ，２ｂ，２ｃ，２ｄ，２ｅ…インクジェットヘッド、３…加工部、４…排紙部、５…用紙、６…乾燥機、７…保持装置、８…インクノズル。
【図１】
2005231310.tif 000003
【図２】
2005231310.tif 000004